(57)【要約】【課題】ファックスモードのみを使用する場合には省エネ状態に移行せず、操作性を向上することができるデジタル複合機を提供する。【解決手段】デジタル複合機の主制御部１は操作部５のキーの操作があるかないかを判定し、キー操作があると、タイマ１１を初期化した後、省エネキー以外のキーが操作された場合には、そのキーに該当する処理を実行する。一方、省エネキーが操作されるか、所定時間キー操作がない場合には、現在のモードがファックスモードか否かを判定する。ファックスモードでない場合には、省エネ状態に移行させ、ファックスモードの場合には、省エネ無効フラグ格納部１６のフラグからファックスモード時の省エネ機能が有効か無効か判定し、ファックスモード時の省エネ機能が有効の場合のみ、省エネ状態に移行させる。【選択図】　　　　図１
2004128924.tif 000002
【特許請求の範囲】
【請求項１】
ファックスモード時の省エネ機能を有効とするか無効とするかを設定する設定手段と、省エネキーが操作されたとき、または所定時間操作キーの操作がないとき、ファックスモード時以外は省エネ状態に移行させ、ファックスモード時は上記設定手段が有効となっているときのみ、省エネ状態に移行させる制御手段とを備えたことを特徴とするデジタル複合機。
【請求項２】
コピー機能のオンオフスイッチと、上記オンオフスイッチがオフのとき、ファックスに関する操作機能のみを有効とするとともに、省エネ状態への移行を阻止する制御手段とを備えたことを特徴とするデジタル複合機。
【発明の詳細な説明】
【０００１】
【発明の属する技術分野】
本発明はデジタル複合機、特に、省エネルギー（以下、省エネという）機能を有するデジタル複合機に関する。
【０００２】
【従来の技術】
ファクシミリ装置やファクシミリモード、コピーモードを有するデジタル複合機では、最近の環境問題への配慮から、できるだけ電力消費を減少させる試みがなされている。例えば、省エネキーを設けてこのキーの操作があった場合や、タイマを設け、所定時間以上操作部のキー操作がなかった場合、表示部やプリンタヒータへの電力供給を停止して、省エネ状態、すなわち、低電力モードで装置を動作させ、電力消費を低減させている。さらに、もっと長期間操作部のキーが操作されない場合には、制御装置のＣＰＵのみに電源を供給してその他の構成要素には電力を供給しない状態（スリープモード）にする場合もある。（例えば、特許文献１参照。）
【０００３】
【特許文献１】
特開２００１−１１１７３２号公報
【０００４】
【発明が解決しようとする課題】
このようなデジタル複合機においては、電源オンからプリンタヒータが所定温度に達するまでには一定の時間が必要となる。また、前記のように省エネモードを設定した際、この省エネモードの設定を解除して再度プリンタヒータを動作させた場合にもコピープリント可能となるまでには一定の時間を要している。このように、電源オン時や省エネモード解除時には、記録紙にコピープリント可能となるまでは一定の時間を要し、操作性が悪いという問題がある。
【０００５】
一方、ファックスモードとコピーモードを備えたデジタル複合機のユーザーの中で、例えば、コピー機を別途所有しているユーザーの場合等、ファックス機能を主として使用しているユーザーは省エネ機能が働いていると、ファックス操作に時間がかかり、不都合が生じることがある。また、省エネキーを使用した場合にも、ファックスモードとコピーモードの両者のモードで省エネ状態となりファックス操作に時間がかかるという問題がある。
【０００６】
本発明は、上記の問題に鑑みてなされたもので、ファックスモードのみを使用する場合には省エネ状態に移行せず、操作性を向上することができるデジタル複合機を提供することを目的とする。
【０００７】
【課題を解決するための手段】
請求項１に係る発明のデジタル複合機は、ファックスモード時の省エネ機能を有効とするか無効とするかを設定する設定手段と、省エネキーが操作されたとき、または所定時間操作キーの操作がないとき、ファックスモード時以外は省エネ状態に移行させ、ファックスモード時は上記設定手段が有効となっているときのみ、省エネ状態に移行させる制御手段とを備えたことを特徴とする。
【０００８】
請求項１に係る発明のデジタル複合機によれば、設定手段によりファックスモード時の省エネ機能を無効に設定することができるので、主にファックスモードのみを使用するユーザーは、ファックスモード時以外のモードのときに省エネ機能を有効とし、ファックスモード時には、省エネ機能が働かないようにすることができるので、迅速にファックス操作を行うことができる。
【０００９】
請求項２に係る発明のデジタル複合機は、コピー機能のオンオフスイッチと、上記スイッチがオフのとき、ファックスに関する操作機能のみを有効とするとともに、省エネ状態への移行を阻止する制御手段とを備えたことを特徴とする。
【００１０】
請求項２に係る発明のデジタル複合機によれば、コピー機能のオンオフスイッチを備えているので、主にファックスのみを使用するユーザーは、このスイッチをオフにすれば、コピー機能に関するキー操作が無効になり、コピーの電源をオフしたような感覚で操作できるとともに、省エネ状態への移行が阻止されるので、省エネ機能が働かず、迅速にファックス操作を行うことができる。
【００１１】
【発明の実施の形態】
以下、本発明のデジタル複合機の実施の形態について、図面を用いて説明する。図１はデジタル複合機の概略ブロック構成図であり、このデジタル複合機はコピーモードとファックスモードとを設定スイッチにより適宜設定することができる。
【００１２】
図１に示すデジタル複合機は、主制御部１、ＲＯＭ（Ｒｅａｄ　Ｏｎｌｙ　Ｍｅｍｏｒｙ）２、ＲＡＭ（Ｒａｎｄｏｍ　Ａｃｃｅｓｓ　Ｍｅｍｏｒｙ）３、表示部４、操作部５、モデム６、ネットワーク制御ユニットＮＣＵ７、読取部８、画像メモリ９、記録部１０、タイマ１１から構成されるとともに、これらの各部がバス１２を介して接続されている。
一方、このデジタル複合機の電源装置１３は表示部４と記録部１０のプリンタヒータ１８以外への電源供給を常時行うとともに、表示部４と記録部１０のプリンタヒータ１８へはスイッチ１４、１５を介して電源供給を行う。
【００１３】
主制御部１はＣＰＵから構成されており、バス１２を介してデジタル複合機のハードウェア各部を制御するとともに、ＲＯＭ２に記憶されたプログラムに基づいて各種のプログラムを実行する。省エネ機能を働かす場合には、この主制御部１はスイッチ１４、１５を制御して表示部４と記録部１０のプリンタヒータ１８への電源供給を停止させる。
【００１４】
ＲＯＭ２はデジタル複合機の動作に必要な種々のプログラムを予め記憶しており、ＲＡＭ３はＳＲＡＭ等で構成され、プログラムの実行時に発生する一時的なデータを記憶するとともに、ファックスモード時に省エネ機能を有効とするか無効とするかの省エネ無効フラグ格納部（メモリエリア）１６を有している。なお、このＲＡＭ３にフラッシュメモリを使用する構成も可能であり、この場合には、停電、デジタル複合機の電源が遮断された場合にも記憶内容が失われることはない。
【００１５】
表示部４は、液晶表示装置（ＬＣＤ）又はＣＲＴディスプレイ等の表示装置であり、デジタル複合機の動作状態を表示したり、種々の機能の操作画面の表示を行う。操作部５はデジタル複合機を操作するために必要な文字キー、テンキー、短縮ダイアルキー、ヘルプキー等の各種のファンクションキー及びファックスモード、プリントモードの設定キーを備えるとともに、デジタル複合機を省エネ状態にするための省エネキー１７も備えている。なお、表示部４をタッチパネル方式とすることによりこの操作部の各種キーの一部又は全部を代用することができる。
【００１６】
モデム６は、バス１２に接続されており、ファクシミリ通信が可能なファックスモデムとしての機能を有し、このモデム６は同様にバス１２に接続されたＮＣＵ７と接続されている。ＮＣＵ７はアナログ回線の閉結及び開放の動作を行うハードウェアであり、必要に応じてモデム６を電話回線１９に接続する。
【００１７】
読取部８は、ＣＣＤ等を利用したスキャナで原稿を読み取り、白黒２値に変換したドットイメージデータを出力する。画像メモリ９は、ＤＲＡＭ等を用いて構成され、送信またはコピーすべきイメージデータあるいは受信したイメージデータを記憶する。
記録部１０は電子写真方式等のプリンタ装置を備え、受信したデータあるいは読取部８が読み取ったデータをハードコピーとしてプリントアウトとするものであり、プリンタヒータ１８を備えている。
【００１８】
デジタル複合機は上記のような構成を備えており、操作部のキーによりコピーモードとファックスモードを選択することができる。そして、ファクシミリ送信時には、原稿の画像データが読取部８で読み取られて画像メモリ９に蓄積された後、モデム６で変調され、ＮＣＵ７から電話回線１９を通して通信相手先に送信される。また、ファクシミリ受信時には、受信した画像データがモデム６で復調されて画像メモリ９に蓄積された後、記録部１０により印刷される。一方、コピー時には、読取部８で読み取られた画像データが画像メモリ９に蓄積された後、記録部１０で印刷される。
【００１９】
このデジタル複合機は、ファックスモード時の省エネ機能を有効とするか無効とするかを設定することができ、この設定の際の動作を図２のフローチャートを用いて説明する。
ユーザーが操作部５または表示部４のタッチパネルから省エネ機能の設定を指示すると、主制御部１は表示部４にファックスモード時省エネ機能「有効／無効」選択画面を表示する（ステップ１０１）。そして、主制御部１は省エネ機能の有効、無効のいずれが選択されたかを判定し（ステップ１０２）、ユーザーが省エネ機能無効を選択すると、ＲＡＭ３の省エネ無効フラグ格納部１６のフラグをセットする（ステップ１０３）。一方、ユーザーが省エネ機能有効を選択すると、主制御部１はＲＡＭ３の省エネ無効フラグ格納部１６のフラグをクリアする（ステップ１０４）。これにより、ユーザーにより選択されたファックスモード時の省エネ機能の有効・無効が、ＲＡＭ３の省エネ無効フラグ格納部１６のフラグに設定されることになる。
【００２０】
一方、デジタル複合機は動作中常に省エネ状態に移行させるか否かの判断を行っており、この判断動作を図３のフローチャートにより説明する。
デジタル複合機の主制御部１は常に操作部５のキーの操作があるかないかを判定している（ステップ２０１）。キー操作があると、主制御部１はタイマ１１の計測時間をリセットして、タイマ１１を初期化する（ステップ２０２）。次に、主制御部１は操作部５で操作されたキーが省エネキーか否かを判定する（ステップ２０３）。操作されたキーが省エネキーの場合には、ステップ２０６に移行し、操作されたキーが省エネキーでない場合には、主制御部１は操作されたキーに該当する処理を実行（ステップ２０４）してステップ２０１に戻る。
【００２１】
一方、ステップ２０１でキー操作がないと判定された場合には、主制御部１はタイマ１１の計測時間から省エネを開始する時間が経過したか否かを判定し（ステップ２０５）、省エネ開始時間が経過していない場合には、ステップ２０１に戻る。省エネ開始時間が経過している場合、あるいは、ステップ２０３において省エネキーの操作と判断された場合には、主制御部１は現在のモードがファックスモードか否かを判定する（ステップ２０６）。現在のモードがファックスモードでない場合には、主制御部１はスイッチ１４、１５を制御して表示部４、記録部１０のプリンタヒータ１８への電源供給を停止して省エネ状態に移行させる（ステップ２０８）。現在のモードがファックスモードの場合には、主制御部１はＲＡＭ３の省エネ無効フラグ格納部１６のフラグがセットされているか否かにより、ファックスモード時の省エネ機能が有効か無効かを判定する（ステップ２０７）。
【００２２】
省エネ無効フラグ格納部１６のフラグがセットされ、ファックスモード時の省エネ機能が無効の場合には、ステップ２０１に戻る。省エネ無効フラグ格納部１６のフラグがクリアされ、ファックスモード時の省エネ機能が有効の場合には、主制御部１はステップ２０８に移り、省エネを開始する。そして、省エネ状態においても、主制御部１は操作部５のキー操作があるか否かを判定している（ステップ２０９）。操作部５のいずれかのキーが操作されると、主制御部１はスイッチ１４、１５を制御して表示部４、記録部１０のプリンタヒータ１８への電源供給を再開して省エネ状態を解除（ステップ２１０）した後、操作されたキーに該当する処理を実行（ステップ２０４）して、ステップ２０１に戻る。
【００２３】
以上のように、ファックスモード時に省エネ機能を有効とするか無効とするかを設定することができ、主にファックスのみを使用する場合にはファックスモード時の省エネ機能を無効としておけば、ファックスモードの場合、省エネキーが操作されたり、所定時間キー操作がなされない場合でも、省エネ状態に移行しないので、迅速にファックス機能を動作させることができる。
【００２４】
上記の実施の形態では、ファックスモード時における省エネ機能の有効／無効を設定する設定手段により、ファックスモード時に省エネ状態に移行しないようにしたが、ファックスモードとコピーモードのみを有するデジタル複合機の場合には、コピー機能のオンオフスイッチを設けることにより、ファックスモード時に省エネ状態に移行しないようにすることもできる。
【００２５】
図４はこのようなコピー機能のオンオフスイッチを設けたデジタル複合機の実施の形態を示す概略ブロック図である。図４のデジタル複合機は、図１のデジタル複合機にコピー機能オンオフスイッチ２０を追加し、ＲＡＭ３の省エネ無効フラグ格納部１６を除いただけであり、その他の構成は図１のデジタル複合機と同じであるので、詳細な説明は省略する。
【００２６】
図４のデジタル複合機の動作について、図５のフローチャートを用いて説明する。
デジタル複合機の主制御部１はまずコピー機能オンオフスイッチ２０がオンかオフかを判定する（ステップ３０１）。コピー機能オンオフスイッチ２０がオフの場合には、主制御部１は操作部５のキーの操作があるかないかを判定する（ステップ３０２）。キー操作がないと、ステップ３０１に戻り、キー操作があると、主制御部１はそのキーによる処理がファックスに関する処理か否かを判定する（ステップ３０３）。そのキーによる処理がファックスに関する処理でない場合には、主制御部１はそのキーによる処理を実行せずにステップ３０１に戻り、そのキーによる処理がファックスに関する処理である場合には、そのキーに該当する処理を実行（ステップ３０４）して、ステップ３０１に戻る。
【００２７】
一方、コピー機能オンオフスイッチ２０がオンの場合、主制御部１は操作部５のキーの操作があるかないかを判定する（ステップ３０５）。キー操作があると、主制御部１はタイマ１１の計測時間をリセットして、タイマ１１を初期化する（ステップ３０６）。次に、主制御部１は操作部５で操作されたキーが省エネキーか否かを判定する（ステップ３０７）。操作されたキーが省エネキーの場合には、ステップ３０９に移行し、操作されたキーが省エネキーでない場合には、ステップ３０４に移り、主制御部１は操作されたキーに該当する処理を実行してステップ３０１に戻る。
【００２８】
ステップ３０５でキー操作がないと判定された場合には、主制御部１はタイマ１１の計測時間から省エネを開始する時間が経過したか否かを判定し（ステップ３０８）、省エネ開始時間が経過していない場合には、ステップ３０１に戻る。省エネ開始時間が経過している場合、あるいは、ステップ３０７において省エネキーの操作と判断された場合には、主制御部１はスイッチ１４、１５を制御して表示部４、記録部１０のプリンタヒータ１８への電源供給を停止して省エネ状態に移行させる（ステップ３０９）。この省エネ状態においても、主制御部１は操作部５のキー操作があるか否かを判定している（ステップ３１０）。操作部５のいずれかのキーが操作されると、主制御部１はスイッチ１４、１５を制御して表示部４、記録部１０のプリンタヒータ１８への電源供給を再開して省エネ状態を解除（ステップ３１１）した後、操作されたキーに該当する処理を実行（ステップ３０４）してステップ３０１に戻る。
【００２９】
以上のように、コピー機能のオンオフスイッチを設けた場合、コピー機能をオフにすると、操作部のキーを操作した場合、そのキーに該当する処理がファックスに関する処理の場合のみ実行されるので、ユーザーの意志によりコピーの電源をオンオフしたような感覚が得られ、操作性の向上を図ることができる。また、コピー機能をオフにすると、省エネ状態に移行しないので、主にファックスのみを使用する場合には、迅速にファックス機能を動作させることができる。
【００３０】
上記の実施の形態では、表示部、プリンタヒータに供給する電源をオフすることにより省エネ状態にしたが、表示部、プリンタヒータに限らずその他の部品についても電源供給スイッチを設け、省エネ状態ではそれらの部品への電源供給を停止するようにすることもできる。
また、上記の実施の形態では、デジタル複合機がファックスモードとコピーモードを備えたデジタル複合機について説明したが、プリンタモードやスキャンモードも備えたデジタル複合機に本発明を適用することも可能である。
【００３１】
【発明の効果】
以上詳述したように、本発明のデジタル複合機は、設定手段によりファックスモード時の省エネ機能の有効・無効を設定することができるので、主にファックス機能のみを使用するユーザーは、ファックスモード時の省エネ機能を無効とすることにより、ファックスモードの場合、省エネキーが操作されたり、所定時間キー操作がなされない場合でも、省エネ状態に移行しないので、迅速にファックス機能を動作させることができる。
【００３２】
また、コピー機能のオンオフスイッチを設けた場合には、主にファックスのみを使用するユーザーは、このスイッチをオフにすれば、省エネ状態への移行が阻止され、省エネ機能が働かないので、迅速にファックス操作を行うことができる。また、コピー機能のオンオフスイッチをオフにすると、コピー機能に関するキー操作が無効になるので、ユーザーはコピーの電源をオンオフしているような感覚でデジタル複合機の操作を行うことができる。
【図面の簡単な説明】
【図１】本発明の実施の形態に係るデジタル複合機の概略ブロック図である。
【図２】図１のデジタル複合機において、ファックスモード時の省エネ機能有効／無効を設定する際の動作を示すフローチャートである。
【図３】図１のデジタル複合機において、省エネ状態に移行させるか否かの判断を行う際の動作を示すフローチャートである。
【図４】本発明の他の実施の形態に係るデジタル複合機の概略ブロック図である。
【図５】図４のデジタル複合機の動作を示すフローチャートである。
【符号の説明】
１　主制御部
２　ＲＯＭ
３　ＲＡＭ
４　表示部
５　操作部
６　モデム
７　ＮＣＵ
８　読取部
９　画像メモリ
１０　記録部
１１　タイマ
１２　バス
１３　電源装置
１４、１５　スイッチ
１６　省エネ無効フラグ格納部
１７　省エネキー
１８　プリンタヒータ
１９　電話回線
２０　コピー機能オンオフスイッチ
【図１】
2004128924.tif 000003
【図２】
2004128924.tif 000004
【図３】
2004128924.tif 000005
【図４】
2004128924.tif 000006
【図５】
2004128924.tif 000007